(57)【要約】    【課題】  電子機器をラックに収納する際のコネクタ等の破損を防止することができる。    【解決手段】  ラック１に収容可能な電子機器４の筐体４Ａの背面４ｂに、ラック１に設けられたラック側コネクタ３に嵌合可能な電子機器側コネクタ６を設けた。電子機器側コネクタ６及びラック側コネクタ３の嵌合量を規制する突起部を電子機器側金物５及びラック側コネクタ金物２にそれぞれ設けた。【選択図】        図１
2006179737.tif 000002
【特許請求の範囲】
【請求項１】
電子機器収容ラックに収容可能な電子機器において、
前記ラックに設けられたラック側コネクタに嵌合可能な電子機器側コネクタと、
前記電子機器側コネクタ及び前記ラック側コネクタの嵌合量を規制する嵌合規制手段と
を備えていることを特徴とする電子機器。
【請求項２】
電子機器を収容可能な電子機器収容ラックにおいて、
前記電子機器に設けられた電子機器側コネクタに嵌合可能なラック側コネクタと、
前記電子機器側コネクタ及び前記ラック側コネクタの嵌合量を規制する嵌合規制手段と
を備えていることを特徴とする電子機器収容ラック。
【請求項３】
前記電子機器が載置される筐体載置面に、その筐体載置面上の前記筐体の嵌合方向の位置を確認するためのアライメント手段が設けられていることを特徴とする請求項２記載の電子機器収容ラック。
【発明の詳細な説明】
【技術分野】
【０００１】
この発明は電子機器及び電子機器収容ラックに関する。
【背景技術】
【０００２】
従来、半導体露光装置のウエハステージ及びレチクルステージの駆動手段として複数のモータが使用されており、各モータには駆動回路を内蔵した筐体がそれぞれ使用されている。一般に、複数の筐体はその形状に合致した複数の収納室を有するラックに収容される（特開平６−６９６７５号公報参照）。
【０００３】
収納室の前側から電子機器の電源ケーブルや入出力系統の配線を引き出す方法の場合、電子機器の出入れがし難いとともに、ケーブルの接続作業も煩雑である。そのため、電源ケーブルや入出力系統の配線をまとめ、それを、電子機器の背面に設けられた電子機器側コネクタと収納室の背面側内壁面に設けられたラック側コネクタとを介して収納室の後側から引き出す方法が行われている。
【０００４】
ラックの収納室の容積は電子機器の容積より若干大きい。そのため、コネクタを用いる上記方法の場合、収納室側筐体載置面の電子機器を配置すべき位置に予めマーキングし、このマーキングに合わせて電子機器を配置することで、ラック側コネクタと電子機器側コネクタとを接続している。
【特許文献１】特開平６−６９６７５号公報
【発明の開示】
【発明が解決しようとする課題】
【０００５】
しかし、上記方法においてはラック側コネクタと電子機器側コネクタとの嵌合状態を直接確認できないので、例えば電子機器側コネクタをラック側コネクタに押し込んだとき、電子機器の公差等によって両コネクタのハウジングの先端面同士が衝突してハウジングや嵌合用ガイド等を破損させてしまうことがある。  
この発明はこのような事情に鑑みてなされたもので、その課題は電子機器をラックに収納する際のコネクタ等の破損を防止することができる電子機器及び電子機器収容ラックを提供することである。
【課題を解決するための手段】
【０００６】
前述の課題を解決するため請求項１記載の発明は、電子機器収容ラックに収容可能な電子機器において、前記ラックに設けられたラック側コネクタに嵌合可能な電子機器側コネクタと、前記電子機器側コネクタ及び前記ラック側コネクタの嵌合量を規制する嵌合規制手段とを備えていることを特徴とする。
【０００７】
請求項２記載の発明は、電子機器を収容可能な電子機器収容ラックにおいて、前記電子機器に設けられた電子機器側コネクタに嵌合可能なラック側コネクタと、前記電子機器側コネクタ及び前記ラック側コネクタの嵌合量を規制する嵌合規制手段とを備えていることを特徴とする。
【０００８】
請求項３記載の発明は、請求項２記載の電子機器収容ラックにおいて、前記電子機器が載置される筐体載置面に、その筐体載置面上の前記筐体の嵌合方向の位置を確認するためのアライメント手段が設けられていることを特徴とする。
【発明の効果】
【０００９】
この発明によれば、電子機器をラックに収納する際のコネクタ等の破損を防止することができる。
【発明を実施するための最良の形態】
【００１０】
以下この発明の実施の形態を図面に基づいて説明する。
【００１１】
図１はこの発明の一実施形態に係る電子機器をラックへ収納する方法を説明する概念図である。
【００１２】
ラック（電子機器収容ラック）１には例えば２つの収納室１Ａ，１Ｂが設けられている。
【００１３】
ラック１の収納室１Ａ，１Ｂの前面はそれぞれ開放されている。
【００１４】
収納室１Ａ，１Ｂの背面側内壁面１ｂにはそれぞれラック側コネクタ３が設けられている。ラック側コネクタ３は収納室１Ａ，１Ｂの背面側内壁面１ｂに設けられたラック側コネクタ金物を介してラック１に固定されている。
【００１５】
ラック側コネクタ３は、ラック１に収納可能な電子機器４の筐体４Ａに設けられた電子機器側コネクタ６と嵌合可能な位置にある。
【００１６】
電子機器４の筐体４Ａの前面４ｃには、電子機器４をラック１の収納室１Ａ，１Ｂに挿入したり、ラック１から引き出したりするときに使用されるハンドル４ａが取り付けられている。
【００１７】
図２は電子機器を背面側から見た斜視図である。
【００１８】
電子機器側コネクタ６は電子機器４の筐体４Ａの背面４ｂに設けられた電子機器側金物５を介して電子機器４の筐体４Ａに固定されている。
【００１９】
図３は離脱状態のコネクタの断面を示す部分拡大図である。
【００２０】
ラック側コネクタ３はピン形コネクタであり、ハウジング３ａ内に複数のピンコンタクト（図示せず）が配置されている。
【００２１】
電子機器側コネクタ６はソケット形コネクタであり、ハウジング６ａ内にはピンコンタクトと対向する位置にピンコンタクトと嵌合可能な複数のソケットコンタクト（図示せず）が配置されている。
【００２２】
ラック側コネクタ３を保持するラック側コネクタ金物２の端部には、ラック側コネクタ３と電子機器側コネクタ６との嵌合量を規制する突起部（嵌合規制手段）２ａが設けられている。
【００２３】
電子機器側コネクタ６を保持する電子機器側金物５の端部には、ラック側コネクタ３と電子機器側コネクタ６との嵌合量を規制する突起部（嵌合規制手段）５ａが設けられている。
【００２４】
突起部２ａと突起部５ａとは互いに対向し、互いに近づく方向へ突出している。ピンコンタクトとソケットコンタクトとが電気的に確実に接続され、しかもコネクタ３，６のハウジング３ａ，６ａ同士が衝突することなく嵌合するように、突起部２ａと突起部５ａとの突出量が決められる。
【００２５】
なお、図３では突起部２ａと突起部５ａとの突出量を同じ寸法としたが、一方（例えば突起部２ａ）の突出量を他方（例えば突起部５ａ）の突出量より大きくしてもよい。また、突起部２ａ又は突起部５ａだけで嵌合量を規制するようにしてもよい。
【００２６】
図４は嵌合状態のコネクタの断面を示す部分拡大図である。
【００２７】
電子機器側コネクタ６とラック側コネクタ３とを嵌合させるとき、電子機器側金物５の突起部５ａがラック側コネクタ金物２の突起部２ａと衝突するまで電子機器側コネクタ６をラック側コネクタ３に挿入すればよい。
【００２８】
両コネクタ６，３が嵌合したとき（突起部２ａ，５ａ同士が衝突したとき）電子機器側コネクタ６のハウジング６ａとラック側コネクタ３のハウジング３ａとの間に所定の隙間ｓ（例えばｓ＝０．５ｍｍ）が形成される。電子機器側コネクタ６のハウジング６ａとラック側コネクタ３のハウジング３ａとが直接衝突することがない。
【００２９】
図５はコネクタの嵌合状態、電気的接続を確認する方法を説明する斜視図である。
【００３０】
電子機器４が載置されるラックの筐体載置面１ａの所定位置には２つの角穴（アライメント手段）７が設けられている。この角穴７は筐体載置面１ａ上の電子機器４のコネクタ嵌合方向の位置を確認するためのものである。
【００３１】
角穴７はラック１の前面開口から目視できる位置にある。両コネクタ３，６が確実に嵌合し、電気的に接続された状態になっているとき、電子機器４の筐体４Ａの前面と２つの角穴７のそれぞれの一辺とが同一直線上に位置する。
【００３２】
なお、図示しないが、アライメント手段は角穴７に限られるものではなく、例えば三角穴等でもよい。また、アライメント手段は穴に限られるものではなく、電子機器４の前面や側面に対応したケガキ線等の表示であってもよい。
【００３３】
この実施形態によれば、電子機器側コネクタ６とラック側コネクタ３とが直接衝突しないので、電子機器側コネクタ６のハウジング６ａとラック側コネクタ３のハウジング３ａとが損傷し難くなる。
【００３４】
また、角穴７によって筐体載置面１ａ上の電子機器４の筐体４Ａの位置がわかるので、コネクタの嵌合状態の確認と電気的接続の確認とをラック１の前面から目視によって行うことができる。
【図面の簡単な説明】
【００３５】
【図１】図１はこの発明の一実施形態に係る電子機器をラックへ収納する方法を説明する概念図である。
【図２】図２は電子機器を背面側から見た斜視図である。
【図３】図３は離脱状態のコネクタの断面を示す部分拡大図である。
【図４】図４は嵌合状態のコネクタの断面を示す部分拡大図である。
【図５】図５はコネクタの嵌合状態、電気的接続を確認する方法を説明する斜視図である。
【符号の説明】
【００３６】
１  ラック
１ａ  筐体載置面
２ａ，５ａ  突起部（嵌合規制手段）
３  ラック側コネクタ
４  電子機器
４Ａ  筐体  
６  電子機器側コネクタ
７  角穴（アライメント手段）
【図１】
2006179737.tif 000003
【図２】
2006179737.tif 000004
【図３】
2006179737.tif 000005
【図４】
2006179737.tif 000006
【図５】
2006179737.tif 000007